(57)【要約】  ペットの排泄物の自動包装装置において、フレーム（１）と、着脱可能にフレーム（１）に取り付けられたハウジング（２）とを備え、前記ハウジング（２）の頂部に貫通孔（６）が開設され、前記貫通孔（６）の縁部から下へ延伸して包装袋に被せられるように構成される内筒体（７）が形成され、前記ハウジング（２）に外筒体（５）が設けられ、外筒体（５）が前記内筒体（７）の外周に位置し、前記外筒体（５）の両側辺にそれぞれ駆動輪ユニットが取り付けられ、前記駆動輪ユニットは、互いに密着する駆動輪（８）および従動輪（９）を備え、前記包装袋の開口端が積み重なって前記内筒体（７）を被せ、且つ、前記包装袋の両側辺が前記駆動輪（８）と前記従動輪（９）との間に係入され、前記駆動輪（８）に駆動装置が接続される。【選択図】図１
2019536483.tif 000002
【特許請求の範囲】
【請求項１】
フレームと、
フレームに着脱可能に取り付けられ、頂部に貫通孔が開設されたハウジングと、
前記貫通孔の縁部から下へ延伸して形成され、包装袋に被せられるように構成される内筒体と、
前記ハウジングに設けられ、前記内筒体の外周に位置する外筒体と、
互いに密着する駆動輪および従動輪を備え、前記外筒体の両側辺に取り付けられる駆動輪ユニットと、
前記駆動輪に接続され、前記駆動輪の回動を駆動するように構成される駆動装置と、を備え、
前記包装袋の開口端が積み重なって前記内筒体を被せ、且つ、前記包装袋の両側辺が前記駆動輪と前記従動輪との間に係入される、ペットの排泄物の自動包装装置。
【請求項２】
前記内筒体の両側辺に、包装袋を広げるように構成されるバネ片が対応して取り付けられる、請求項１に記載のペットの排泄物の自動包装装置。
【請求項３】
前記フレームに、前記ハウジングの下方にペットの排泄物が収容される包装袋を封口するように構成される熱封口機構が取り付けられる、請求項１または２に記載のペットの排泄物の自動包装装置。
【請求項４】
前記ハウジングは上天板を備え、前記貫通孔は前記上天板に開設され、前記外筒体と前記上天板との間は、係止具によって連結される、請求項１または３に記載のペットの排泄物の自動包装装置。
【請求項５】
前記フレームに、前記上天板の幅に合わせて２本のガイドレールが固定され、前記２本のガイドレールにそれぞれ係入溝が開設され、前記ハウジングが装着されると、前記上天板の両側辺は前記係入溝内に係入される、請求項４に記載のペットの排泄物の自動包装装置。
【請求項６】
前記外筒体の長さは前記内筒体の長さよりも大きく、前記駆動輪ユニットが前記内筒体の下方に設けられ、前記駆動装置は減速モータを備え、２つの前記駆動輪の間に駆動軸が連結され、前記駆動軸の一端に第１傘歯車が連結され、前記減速モータの出力軸に、前記第１傘歯車に噛合された第２傘歯車が固定され、２つの前記従動輪がそれぞれ車軸を介して前記外筒体内に取り付けられる、請求項１に記載のペットの排泄物の自動包装装置。
【請求項７】
前記第１傘歯車の軸方向および前記第２傘歯車の軸方向は、それぞれ水平面に平行である、請求項６に記載のペットの排泄物の自動包装装置。
【請求項８】
第１傘歯車の軸方向が水平面に平行であり、前記第２傘歯車の軸方向が水平面に垂直であり、且つ、鉛直平面内において、前記第２傘歯車１４の一側の歯と前記第１傘歯車１２の上端の歯とが噛合する、請求項６に記載のペットの排泄物の自動包装装置。
【請求項９】
前記熱封口機構は、平行に離間して前記フレームに固定された２本のガイドロッドを備え、前記２本のガイドロッドに、第１発熱ブロックおよび第２発熱ブロックが移動可能に穿設され、前記第１発熱ブロックにプッシャーモータが接続され、前記第２発熱ブロックに、袋を封口箇所で切断するように構成されるブレードが取り付けられ、前記２本のガイドロッドに、前記第２発熱ブロックの外側に戻しばねが取り付けられる、請求項３に記載のペットの排泄物の自動包装装置。
【請求項１０】
前記第２発熱ブロックの中央部に、前記第２発熱ブロックの圧着面に沿って隙間が設けられ、前記ブレードの後端部が前記フレームに固定され、前記ブレード先端部が前記隙間内に設けられた刃先端であり、第１発熱ブロックおよび第２発熱ブロックが封口を圧着する時に、前記ブレードは圧着箇所の中央部に沿って袋を切断する、請求項９に記載のペットの排泄物の自動包装装置。
【請求項１１】
前記第１発熱ブロックおよび前記第２発熱ブロックの圧着面は、互いに嵌合するジクザグ面を採用し、前記ブレードの刃先端はジグザグ状である、請求項９に記載のペットの排泄物の自動包装装置。
【請求項１２】
前記第１発熱ブロックは、電気加熱または正特性サーミスタＰＴＣ素子加熱を採用し、前記第２発熱ブロックは、電気加熱または正特性サーミスタＰＴＣ素子加熱を採用する、請求項９に記載のペットの排泄物の自動包装装置。
【発明の詳細な説明】
【技術分野】
【０００１】
本開示は、ペット用品の分野に関し、例えば、ペットの排泄物の自動包装装置に関する。
【背景技術】
【０００２】
社会経済の発展に伴い、人々の生活の質もますます向上し、飼い犬、飼い猫のような家庭内のペットの飼育も、人々の生活における重要なレクリエーション方式となる。飼育中に、ペットが家にいることによる環境、空気の汚染はますます深刻になり、特に、ペットの排泄物は家庭環境を汚染する主な難病となっている。
【０００３】
そのため、一般的には、ペットの休憩用の単独したペットハウスを用意する。関連技術におけるペットハウスは、ペットの睡眠および食事しか対応できず、飼い主は、ペットの排泄物を毎日清掃するのに大量の時間をかかる。現在、ペットの排泄物を自動的に包装可能な装置は市場に現れていない。
【発明の概要】
【発明が解決しようとする課題】
【０００４】
本開示は、従来技術におけるペットの飼育中に存在するペットの排泄物を自動的に包装できないという問題を解決するペットの排泄物の自動包装装置を提供する。
【課題を解決するための手段】
【０００５】
ペットの排泄物の自動包装装置において、フレームと、フレームに着脱可能に取り付けられたハウジングとを備え、前記ハウジングの頂部に貫通孔が開設され、前記貫通孔の縁部から下へ延伸して包装袋に被せられるように構成される内筒体が形成され、前記ハウジングに外筒体が設けられ、外筒体が前記内筒体の外周に位置し、前記外筒体の両側辺にそれぞれ駆動輪ユニットが取り付けられ、前記駆動輪ユニットは、互いに密着する駆動輪および従動輪を備え、前記包装袋の開口端が積み重なって前記内筒体を被せ、且つ、包装袋の両側辺が前記駆動輪と従動輪との間に係入され、前記駆動輪に駆動装置が接続される。
【０００６】
好ましくは、包装袋の両側辺を駆動輪と従動輪との間に係入するように、前記内筒体の両側辺に、包装袋を広げるためのバネ片が対応して取り付けられる。
【０００７】
好ましくは、前記フレームに、前記ハウジングの下方にペットの排泄物が収容される包装袋を封口するための熱封口機構が取り付けられる。
【０００８】
好ましくは、前記ハウジングは上天板を備え、前記貫通孔は前記上天板に開設され、前記外筒体と前記上天板との間は、係止具によって連結される。
【０００９】
好ましくは、前記フレームに、前記上天板の幅に合わせて２本のガイドレールが固定され、前記２本のガイドレールにそれぞれ係入溝が開設され、前記ハウジングが装着されると、前記上天板の両側辺が前記係入溝内に係入される。
【００１０】
好ましくは、前記外筒体の長さは前記内筒体の長さよりも大きく、前記駆動輪ユニットが前記内筒体の下方に設けられ、前記駆動装置は減速モータを採用し、２つの駆動輪の間に駆動軸が連結され、前記駆動軸の一端に第１傘歯車が連結され、前記減速モータの出力軸に、前記第１傘歯車に噛合された第２傘歯車が固定され、２つの従動輪がそれぞれ車軸を介して前記外筒体内に取り付けられる。
【００１１】
好ましくは、前記第１傘歯車の軸方向および前記第２傘歯車の軸方向は、それぞれ水平面に平行である。
【００１２】
好ましくは、第１傘歯車の軸方向が水平面に平行であり、前記第２傘歯車の軸方向が水平面に垂直であり、且つ、鉛直平面において、前記第２傘歯車の一側の歯と前記第１傘歯車の上端の歯とが噛合する。
【００１３】
好ましくは、前記熱封口機構は、平行に離間して前記フレームに固定された２本のガイドロッドを備え、前記２本のガイドロッドに、第１発熱ブロックおよび第２発熱ブロックが移動可能に穿設され、前記第１発熱ブロックにプッシャーモータが接続され、前記第２発熱ブロックに、袋を封口箇所で切断するためのブレードが取り付けられ、前記２本のガイドロッドに、前記第２発熱ブロックの外側に戻しばねが取り付けられる。
【００１４】
好ましくは、前記第２発熱ブロックの中央部に、第２発熱ブロックの圧着面に沿って隙間が設けられ、前記ブレードの後端部が前記フレームに固定され、ブレードの先端部が前記隙間内に設けられた刃先端であり、第１発熱ブロックおよび第２発熱ブロックが封口を圧着する時に、前記ブレードは圧着箇所の中央部に沿って袋を切断する。
【００１５】
好ましくは、前記第１発熱ブロックおよび第２発熱ブロックの圧着面は、互いに嵌合するジクザグ面を採用し、前記ブレードの刃先端はジグザグ状である。
【００１６】
好ましくは、前記第１発熱ブロックは、電気加熱または正特性サーミスタ（Ｐｏｓｉｔｉｖｅ  Ｔｅｍｐｅｒａｔｕｒｅ  Ｃｏｅｆｆｉｃｉｅｎｔ、ＰＴＣ）素子によって加熱され、第２発熱ブロックは、電気加熱またはＰＴＣ素子によって加熱される。
【発明の効果】
【００１７】
本開示のペットの排泄物の自動包装装置は、ペットの排泄物を自動的に包装することを実現できるだけでなく、更に、構造が簡単でコンパクトであり、占有空間が小さく、確実かつ安定的に動作する。
【図面の簡単な説明】
【００１８】
【図１】一実施例に係るペットの排泄物の自動包装装置の斜視構造模式図である。
【図２】一実施例に係るペットの排泄物の自動包装装置の底面図である。
【図３】一実施例に係るペットの排泄物の自動包装装置の分解図である。
【図４】一実施例に係るペットの排泄物の自動包装装置の組立図である。
【図５】一実施例に係るペットの排泄物の自動包装装置の熱封口機構の斜視構造模式図である。
【図６】一実施例に係るペットの排泄物の自動包装装置の第２発熱ブロックの斜視構造模式図である。
【図７】一実施例に係るペットの排泄物の自動包装装置の構造模式図である。
【発明を実施するための形態】
【００１９】
図１〜図６に示すように、本実施例において、ペットの排泄物の自動包装装置は、フレーム１およびハウジング２を備え、前記フレーム１に、２本のガイドレール３が平行に離間して固定され、前記ハウジング２は、上天板４と、係止具によって前記上天板４の底部に連結された外筒体５とを備え、前記２本のガイドレール３は第１ガイドレールおよび第２ガイドレールを含み、前記第１ガイドレールおよび第２ガイドレールにそれぞれ係入溝が開設され、且つ、前記第１ガイドレールにおける係入溝と第２ガイドレールにおける係入溝との間の距離は、前記上天板４の幅に対応し、装着時に、上天板４の両側辺を前記係入溝内に係入することにより、前記ハウジング２をフレーム１内に押し込み、ハウジング２を取り外す時に、上天板４を２本のガイドレール３から抜き出せばよい。
【００２０】
前記上天板４の中心に貫通孔６が開設され、前記貫通孔６の縁部から下へ延伸して包装袋に被せられる内筒体７が形成され、前記包装袋は、一端が開口して他端が閉じられた長袋を採用し、装着時に、包装袋の開口端が積み重なって前記内筒体７を被せ、前記外筒体５が前記内筒体７の外周に位置し、且つ、前記外筒体５の長さが前記内筒体７の長さよりも大きい。
【００２１】
前記外筒体５の対向して設けられた両側辺に、それぞれ駆動輪ユニットが取り付けられ、前記駆動輪ユニットが前記内筒体７の下方に位置し、前記駆動輪ユニットは、互いに密着する駆動ゴム輪８および従動ゴム輪９を備え、２つの駆動ゴム輪８の間に駆動軸１０が連結され、２つの従動ゴム輪９が車軸１１を介して前記外筒体５内に取り付けられる。前記駆動軸１０の一端に第１傘歯車１２が連結され、駆動モータ１３の出力軸に、前記第１傘歯車１２に噛合された第２傘歯車１４が固定される。好ましくは、図２に示すように、前記第１傘歯車１２の軸方向および前記第２傘歯車１４の軸方向はそれぞれ水平面に平行であり、且つ、前記第２傘歯車１４は第１傘歯車１２の回動を駆動するように構成される。
【００２２】
また、図７に示すように、第１傘歯車１２の軸方向が水平面に平行であり、前記第２傘歯車１４の軸方向が水平面に垂直であり、且つ、鉛直平面において、前記第２傘歯車１４の一側の歯と前記第１傘歯車１２の上端の歯とが噛合することにより、前記第２傘歯車１４が前記第１傘歯車１２の回動を駆動する時に、前記第１傘歯車１２に鉛直下方への分力を与える。これによって、前記第２傘歯車１４が前記第１傘歯車１２の回動を駆動する時に、前記第１傘歯車１２に上向きの分力を与えることにより、前記第１傘歯車１２と前記第２傘歯車１４との噛合位置で隙間が生じ、前記第１傘歯車１２と前記第２傘歯車１４との間の伝動が不能になる問題を回避する。
【００２３】
前記内筒体７の両側辺に、包装袋を広げるためのバネ片１５が対応して取り付けられ、包装袋は、前記内筒体７に取り付けられると、包装袋の両側辺がそれぞれ内筒体７の両側に位置する駆動ゴム輪８と従動ゴム輪９との間に係入される。
【００２４】
前記フレーム１に、前記ハウジング２の下方にペットの排泄物が収容される包装袋を封口するための熱封口機構が取り付けられ、前記熱封口機構は、固定ねじ１６によってフレーム１に固定された２本のガイドロッド１７を備え、前記２本のガイドロッド１７が平行に離間して設けられ、前記２本のガイドロッド１７に、第１発熱ブロック１８および第２発熱ブロック１９が移動可能に穿設され、前記第１発熱ブロック１８にプッシャーモータ２０が接続され、前記第２発熱ブロック１９に、包装袋を封口箇所で切断するためのブレード２１が取り付けられ、前記第２発熱ブロック１９の中央部に、第２発熱ブロック１９の圧着面に沿って隙間２２が設けられ、前記ブレード２１の後端部が前記フレーム１に固定され、ブレード２１の先端部が前記隙間２２内に設けられた刃先端であり、第１発熱ブロック１８および第２発熱ブロック１９が封口を圧着する時に、前記ブレード２１は圧着箇所の中央部に沿って袋を切断する。
【００２５】
前記２本のガイドロッド１７に、前記第２発熱ブロック１９の外側に戻しばね２３が取り付けられ、前記第１発熱ブロック１８および第２発熱ブロック１９の圧着面は、互いに嵌合するジクザグ面を採用し、前記ブレード２１の刃先端はジグザグ状である。
【００２６】
好ましくは、前記第１発熱ブロック１８および第２発熱ブロック１９は、電気加熱を採用し、両者内にそれぞれ電気加熱管が設けられる。前記第１発熱ブロック１８および第２発熱ブロック１９は、ＰＴＣ加熱を採用してもよく、両者内にそれぞれＰＴＣ発熱素子が設けられ、第１発熱ブロック１８および第２発熱ブロック１９の発熱安定性を向上させ、消費電力を低減し、発熱ブロックの耐用年数を延長する。
【００２７】
動作時に、包装袋を予め内筒体７に被せ、バネ片１５によって包装袋を広げ、包装袋の両側辺を駆動ゴム輪８と従動ゴム輪９との間に係入させる。ペットの排泄物が貫通孔６から包装袋に落入すると、駆動モータ１３は駆動軸１０の回動を駆動し、駆動ゴム輪８および従動ゴム輪９の回動を駆動し、包装袋を駆動して第１発熱ブロック１８と第２発熱ブロック１９との間に位置する適当な位置まで下へ移動すると、プッシャーモータ２０は起動し、第１発熱ブロック１８を押して２本のガイドロッド１７に沿って第２発熱ブロック１９に接近する方向へ移動させ、最終的に、第１発熱ブロック１８および第２発熱ブロック１９は第２発熱ブロック１９の圧着面によって包装袋を圧着加熱して封口し、圧着動作と同時に、ブレード２１は圧着箇所の中央部に沿って包装袋を切断する。
【産業上の利用可能性】
【００２８】
本開示のペットの排泄物の自動包装装置は、ペットの排泄物を自動的に包装することを実現できるだけでなく、更に、構造が簡単でコンパクトであり、占有空間が小さく、確実かつ安定的に動作する。
【図１】
2019536483.tif 000003
【図２】
2019536483.tif 000004
【図３】
2019536483.tif 000005
【図４】
2019536483.tif 000006
【図５】
2019536483.tif 000007
【図６】
2019536483.tif 000008
【図７】
2019536483.tif 000009
【国際調査報告】
2019536483.tif 000010
2019536483.tif 000011
2019536483.tif 000012
2019536483.tif 000013
2019536483.tif 000014
2019536483.tif 000015